(57)【要約】【課題】幅方向並びに高さ方向の調節機能を独立させることができ、しかも、片手で調節作業を行うことができ、作業性の向上並びに容易化を実現することができるエスカレータ移動手摺の案内装置を提供する。【解決手段】固定ブラケット２５がエスカレータフレームに固定され、高さ調整用シャフト部材２７が固定ブラケット２５に形成された長孔２５ｃを貫通し、無端ベルト状の手摺本体２１に当接するガイド部材２３が高さ調整用シャフト部材２７の下端に設けられ、固定ブラケット２５の上面に位置する可動ブラケット２９が高さ調整用シャフト部材２７の上部と係合し、高さ調整用シャフト部材２７の軸線と直行するように固定ブラケット２５並びに可動ブラケット２９に跨って奥行き調整用シャフト部材２８が両者を貫通している。【選択図】        図１
2004182463.tif 000002
【特許請求の範囲】
【請求項１】
エスカレータフレームに固定された固定ブラケットと、該固定ブラケットに形成された長孔を貫通する高さ調整用シャフト部材と、該高さ調整用シャフト部材の下端に設けられ且つ無端ベルト状の手摺本体に当接するガイド部材と、前記固定ブラケットの上面に位置して前記高さ調整用シャフト部材の上部と係合する可動ブラケットと、前記固定ブラケット並びに前記可動ブラケットに跨って前記高さ調整用シャフト部材の軸線と直行して両者を貫通する奥行き調整用シャフト部材とを備え、前記高さ調整用シャフト部材の操作により前記ガイド部材が高さ方向に変位すると共に、前記奥行き調整用シャフト部材の操作により前記可動ブラケットが前記奥行き調整用シャフト部材の軸線方向に沿って変位すると同時に前記長孔に沿って前記高さ調整用シャフト部材が前記ガイド部材と一体に変位されることを特徴とするエスカレータ移動手摺の案内装置。
【請求項２】
前記高さ調整用シャフト部材は、前記可動ブラケットに形成された雌ネジ穴と螺合するネジシャフトと、前記固定ブラケットの裏面に当接するように前記ネジシャフトに螺合する一つのロックナットとを備えていることを特徴とする請求項１に記載のエスカレータ移動手摺の案内装置。
【請求項３】
前記奥行き調整用シャフト部材は、前記固定ブラケットに形成された遊挿穴を貫通した上で前記可動ブラケットに形成された雌ネジ穴と螺合するネジシャフトと、前記固定ブラケットの表面並びに裏面の少なくとも一方に当接するように前記ネジシャフトに螺合する一つ以上のロックナットとを備えていることを特徴とする請求項１又は請求項２に記載のエスカレータ移動手摺の案内装置。
【発明の詳細な説明】
【０００１】
【発明の属する技術分野】
本発明は、エスカレータ移動手摺、特に、エスカレータ利用者が実際に手摺として使用する往動側に対して、帰路となる復動側におけるエスカレータ移動手摺の移動方向と交差する幅方向並びに高さ方向に対する手摺案内用のガイド部材を備えたエスカレータ移動手摺の案内装置に関する。
【０００２】
【従来の技術】
従来から、エスカレータには、利用者が立つためのステップに同期して回動移動し、その往動側にて利用者の手摺として利用される無端状の移動手摺を設けることが周知である。
【０００３】
図５は移動手摺の駆動例を示すエスカレータの側面図、図６（Ａ）は移動手摺と駆動シーブ並びにガイド部材の配置関係の説明図、図６（Ｂ）はエスカレータ移動手摺の案内装置の要部の断面図である。
【０００４】
図５において、１は上下階昇降式のエスカレータ、２は所定方向（例えば、図示左方の下階から図示右方の上階へと乗客を搬送する場合には時計回り方向）に回動移動する手摺本体、３は手摺本体２の傾斜角度に沿うスカートガード、４はスカートガード３の下方に位置して手摺本体２の復動部分や図示を略するステップの復動部分並びにエスカレータ駆動部５を覆う側板である。
【０００５】
エスカレータ駆動部５は、手摺本体２の裏面（利用者が使用に際して手を添える面を表面とする）に当接して図示を略する駆動装置の駆動により回転する駆動シーブ６と、手摺本体２の回動移動方向に対して駆動シーブ６の上流側と下流側の各表面に当接する複数の案内ローラ７と、駆動シーブ６の上流側並びに下流側の各裏面側に位置するガイド部材８，９とを備えている。
【０００６】
ガイド部材８，９は、図６（Ａ）に示すように、駆動シーブ６の上流側に位置するガイド部材８と、駆動シーブ６の下流側に位置するガイド部材９とで手摺本体２の裏面側に形成された対向する凹部２ａ，２ｂの少なくとも一方と当接し、これにより手摺本体２の回動移動方向と交差する幅方向のずれを矯正することができる。また、ガイド部材８，９は、図６（Ｂ）に一方のガイド部材８で示すように、エスカレータフレーム（図示せず）等に固定されるブラケット１０に締結部材１１を介して保持されている（例えば、特許文献１参照。）。
【０００７】
締結部材１１は、ブラケット１０の表裏に位置するナット１２，１３と、ブラケット１０に形成されて手摺本体２の幅方向に延びる長孔（図示せず）を貫通すると共にナット１２，１３により軸線方向の長さが調整されるネジ状のシャフト１４と、シャフト１４の先端に固定されると共にガイド部材８（９）に溶接等で固定された軸固定部材１５とを備えている。
【０００８】
尚、この軸固定部材１５若しくはガイド部材８（９）にボールベアリング等を設け、シャフト１４に対して軸固定部材１５をガイド部材８（９）と一体に回転可能とすることもできる。
【０００９】
また、ブラケット１０に形成された長孔（図示せず）は、ガイド部材８（９）の幅方向の規制位置を調整するためのものであると共に、ガイド部材８とは反対側の凹部２ｂにガイド部材９を当接させる際のブラケット１０の共用を兼ねている。
【００１０】
ここで、ガイド部材８（９）の位置調整には、ナット１２，１３の少なくとも一方を緩めた後にブラケット１０の長孔に対するシャフト１４の位置を調整したうえでナット１２，１３による締結状態を復帰させる幅方向調整と、ナット１２，１３の両方を緩めた後にブラケット１０に対するシャフト１４の軸線方向の位置を調整したうえでナット１２，１３による締結状態を復帰させる高さ方向調整とがある。
【００１１】
【特許文献１】
特開２００１−１４６３７８号公報（段落番号０００３，００１１、図１）
【００１２】
【発明が解決しようとする課題】
ところで、上記の如く構成されたエスカレータ移動手摺の案内装置にあっては、手摺本体２の凹部２ａ，２ｂが厳密には円弧形状となっていることから、上述した幅方向並びに高さ方向の調整には、その一方のみ、即ち、幅方向のみや高さ方向のみの調整というわけにはいかず、ナット１２，１３の双方を緩めたうえでガイド部材８（９）の幅方向並びに高さ方向の双方を同時に行わなければならない。
【００１３】
したがって、ナット１２，１３を緩めたり締め付けたりする際には一人の作業者では両手を使用しなければならないことと相俟って、そのガイド部材８（９）の幅方向並びに高さ方向の調節を同時に行うことが困難であるというという問題があった。
【００１４】
本発明は、上記問題を解決するため、幅方向並びに高さ方向の調節機能を独立させることができ、しかも、片手で調節作業を行うことができ、作業性の向上並びに容易化を実現することができるエスカレータ移動手摺の案内装置を提供することを目的とする。
【００１５】
【課題を解決するための手段】
その目的を達成するため、本発明のエスカレータ移動手摺の案内装置は、エスカレータフレームに固定された固定ブラケットと、該固定ブラケットに形成された長孔を貫通する高さ調整用シャフト部材と、該高さ調整用シャフト部材の下端に設けられ且つ無端ベルト状の手摺本体に当接するガイド部材と、前記固定ブラケットの上面に位置して前記高さ調整用シャフト部材の上部と係合する可動ブラケットと、前記固定ブラケット並びに前記可動ブラケットに跨って前記高さ調整用シャフト部材の軸線と直行して両者を貫通する奥行き調整用シャフト部材とを備え、前記高さ調整用シャフト部材の操作により前記ガイド部材が高さ方向に変位すると共に、前記奥行き調整用シャフト部材の操作により前記可動ブラケットが前記奥行き調整用シャフト部材の軸線方向に沿って変位すると同時に前記長孔に沿って前記高さ調整用シャフト部材が前記ガイド部材と一体に変位されることを特徴とする。
【００１６】
このような構成においては、固定ブラケットがエスカレータフレームに固定され、高さ調整用シャフト部材が固定ブラケットに形成された長孔を貫通し、無端ベルト状の手摺本体に当接するガイド部材が高さ調整用シャフト部材の下端に設けられ、固定ブラケットの上面に位置する可動ブラケットが高さ調整用シャフト部材の上部と係合し、高さ調整用シャフト部材の軸線と直行するように固定ブラケット並びに可動ブラケットに跨って奥行き調整用シャフト部材が両者を貫通している。
【００１７】
これにより、高さ調整用シャフト部材を操作すればガイド部材を高さ方向に変位させることができ、奥行き調整用シャフト部材を操作すれば可動ブラケットが奥行き調整用シャフト部材の軸線方向に沿って進退動されると同時に長孔に沿って高さ調整用シャフト部材と一体にガイド部材を変位させることができる。
【００１８】
また、本発明のエスカレータ移動手摺の案内装置は、前記高さ調整用シャフト部材が、前記可動ブラケットに形成された雌ネジ穴と螺合するネジシャフトと、前記固定ブラケットの裏面に当接するように前記ネジシャフトに螺合する一つのロックナットとを備えていることを特徴とする。
【００１９】
さらに、本発明のエスカレータ移動手摺の案内装置は、前記奥行き調整用シャフト部材が、前記固定ブラケットに形成された遊挿穴を貫通した上で前記可動ブラケットに形成された雌ネジ穴と螺合するネジシャフトと、前記固定ブラケットの表面並びに裏面の少なくとも一方に当接するように前記ネジシャフトに螺合する一つ以上のロックナットとを備えていることを特徴とする。
【００２０】
【発明の実施の形態】
次に、本発明のエスカレータ移動手摺の案内装置の実施の形態を図面に基づいて説明する。
【００２１】
尚、見掛け上の全体配置構成は図５に示した状態と実質的に同一であるため、ここでは詳細構造のみを説明する。
【００２２】
（実施の形態１）
図１及び図２は、本発明のエスカレータの実施の形態１を示し、図１は本発明のエスカレータ移動手摺の案内装置の要部の断面図、図２は本発明のエスカレータ用手摺の要部の分解斜視図である。
【００２３】
図１において、２１はエスカレータ（全体図省略）の手摺本体（一部）、２２はエスカレータ駆動部の一部を構成すると共に手摺本体２１の裏面（利用者が使用に際して手を添える面を表面とする）に当接して図示を略する駆動装置の駆動により回転する駆動シーブ、２３，２４は駆動シーブ２２の上流側並びに下流側の各裏面側に位置するガイド部材である。
【００２４】
ガイド部材２３，２４は、駆動シーブ２２の上流側に位置するガイド部材２３と、駆動シーブ２２の下流側に位置するガイド部材２４とで手摺本体２１の裏面側に形成された対向する凹部２１ａ，２１ｂ（図１（Ｂ）参照）の少なくとも一方と当接し、これにより手摺本体２１の回動移動方向と同一平面内で交差する幅方向のずれを矯正することができる。また、ガイド部材２３，２４（以下、実質的に同一構成のため、図１（Ｂ）及び図２では一方のガイド部材２３のみ図示）は、エスカレータフレーム（図示せず）等に固定される固定ブラケット２５に保持ユニット２６を介して保持されている。
【００２５】
固定ブラケット２５は、ベース２５ａと、ベース２５ａから立ち上げられた立壁２５ｂとを備えている。また、ベース２５ａには、手摺本体２１の移動方向と同一平面内で交差する幅方向に沿って長径な長孔２５ｃが形成されている。さらに、立壁２５ｂには遊挿穴２５ｄが形成されている。
【００２６】
保持ユニット２６は、固定ブラケット２５に形成された長孔２５ｃを貫通する高さ調整用シャフト部材２７と、固定ブラケット２５に形成された遊挿穴２５ｄを貫通する奥行き調整用シャフト部材２８と、固定ブラケット２５に対して相対変位可能な可動ブラケット２９とを備えている。
【００２７】
高さ調整用シャフト部材２７は、固定ブラケット２５に溶接等で固定されたローラ軸受３０と、このローラ軸受３０から突出されたネジシャフト３１と、ネジシャフト３１に螺合するロックナット３２と、座金３３とを備えている。
【００２８】
奥行き調整用シャフト部材２８は、ボルト状のネジシャフト３４と、ネジシャフト３４に螺合する２つのロックナット３５，３６及び座金３７，３８とを備えている。
【００２９】
可動ブラケット２９は、長孔２５ｃと対向する雌ネジ穴２９ａを形成したベース２９ｂと、遊挿穴２５ｄと対向する雌ネジ穴２９ｃを形成すると共に立壁２５ｂと離間状態で対向する立壁２９ｄとを備えている。
【００３０】
このような構成において、固定ブラケット２５にガイド部材２３を調整可能に保持させるには、予めガイド部材２３にローラ軸受３０とネジシャフト３１とを固定しておき、このネジシャフト３１の適宜位置にまでロックナット３２を螺合させた後に、座金３３をネジシャフト３１に貫通させる。
【００３１】
この状態で、ネジシャフト３１の先端を長孔２５ｃに貫通させると同時に雌ネジ穴２９ａにネジシャフト３１の先端を螺合させ、固定ブラケット２５に対して可動ブラケット２９を密着させる。
【００３２】
次に、ネジシャフト３４に一方のロックナット３５を螺合させると同時に座金３７をネジシャフト３４に貫通させ、ネジシャフト３４の先端を遊挿穴２５ｄに貫通させつつロックナット３６をネジシャフト３４に螺合させ、座金３８をネジシャフト３４に貫通させ、さらにネジシャフト３４を雌ネジ穴２９ｃに螺合させる。
【００３３】
この状態から、手摺本体２１の凹部２１ａに対するガイド部材２３の相対位置を調整しつつ、ロックナット３２，３５，３６を強固に締結する。
【００３４】
一方、このような状態での微調整やメンテナンス等における凹部２１ａに対するガイド部材２３の位置を調整する場合、高さ方向の調節をするには、ロックナット３２を緩めてネジシャフト３１と雌ネジ穴２９ａとの螺合位置を調整した後に、再びロックネット３２を固定ブラケット２５側に締結する。
【００３５】
また、奥行き方向、即ち、手摺本体２１の回動移動方向と同一平面内で交差する幅方向の調節をするには、その方向に応じて、例えば、図１（Ｂ）の図示左方（奥側）にガイド部材２３を変位させる場合には、ロックナット３５を緩めてネジシャフト３４を変位させることにより可動ブラケット２９と一体に高さ調整用シャフト部材２７とガイド部材２３とが図示左方に変位し、適宜位置にてロックナット３５を締結する。
【００３６】
逆に、図１（Ｂ）の図示右方（開口側）にガイド部材２３を変位させる場合には、ロックナット３６を緩めてネジシャフト３４を変位させることにより可動ブラケット２９と一体に高さ調整用シャフト部材２７とガイド部材２３とが図示右方に変位し、適宜位置にてロックナット３６を締結する。
【００３７】
（実施の形態２）
ところで、上記実施の形態１では、奥行き調整用シャフト部材２８に２つのロックナット３５，３６を用いたものを開示したが、図３及び図４に示すように、一つのロックナット３５のみを使用すると共に、遊挿穴２５ｄに換えて雌ネジ穴２５ｅとしても良い。
【００３８】
このような構成とした場合、高さ方向の調整は上記実施の形態１と同様であるが、奥行き方向の調整時には、ロックナット３５を緩めた状態にてネジシャフト３４を回転させ、ネジシャフト３４と雌ネジ穴２５ｅとの螺合位置を調整することにより奥行き方向に可動ブラケット２９と一体に高さ調整用シャフト部材２７とガイド部材２３とが変位するため、適宜位置にてロックナット３５を締結するだけでよい。
【００３９】
尚、その他の構成は上記実施の形態１と同一であるため、同一の符号を付してその説明を省略する。
【００４０】
このように、本発明のエスカレータ移動手摺の案内装置にあっては、ガイド部材２３を機能的に分割された固定ブラケット２５並びに可動ブラケット２９の両者に係合させると共に、可動ブラケット２９を調整二方向で分割された調整用シャフト部材２７，２８にて変位調整可能としたことにより、片手作業にて独立二方向の調整をすることができる。
【００４１】
【発明の効果】
本発明のエスカレータ移動手摺の案内装置にあっては、以上説明したように構成したことにより、幅方向並びに高さ方向の調節機能を独立させることができ、しかも、片手で調節作業を行うことができ、作業性の向上並びに容易化を実現することができる。
【図面の簡単な説明】
【図１】本発明の実施の形態１に係わるエスカレータ移動手摺の案内装置を示し、（Ａ）は移動手摺と駆動シーブ並びにガイド部材の配置関係の説明図、（Ｂ）はエスカレータ移動手摺の案内装置の要部の断面図である。
【図２】本発明の実施の形態１に係わるエスカレータ移動手摺の案内装置を示し、エスカレータ用手摺の要部の分解斜視図である。
【図３】本発明の実施の形態２に係わるエスカレータ移動手摺の案内装置を示し、（Ａ）は移動手摺と駆動シーブ並びにガイド部材の配置関係の説明図、（Ｂ）はエスカレータ移動手摺の案内装置の要部の断面図である。
【図４】本発明の実施の形態２に係わるエスカレータ移動手摺の案内装置を示し、エスカレータ用手摺の要部の分解斜視図である。
【図５】移動手摺の駆動例を示すエスカレータの側面図である。
【図６】従来のエスカレータ移動手摺の案内装置を示し、（Ａ）は移動手摺と駆動シーブ並びにガイド部材の配置関係の説明図、（Ｂ）はエスカレータ移動手摺の案内装置の要部の断面図である。
【符号の説明】
２１  手摺本体、２３  ガイド部材、２４  ガイド部材、２５  固定ブラケット、２５ｃ  長孔、２７  高さ調整用シャフト部材、２８  奥行き調整用シャフト部材、２９  可動ブラケット。
【図１】
2004182463.tif 000003
【図２】
2004182463.tif 000004
【図３】
2004182463.tif 000005
【図４】
2004182463.tif 000006
【図５】
2004182463.tif 000007
【図６】
2004182463.tif 000008